(57)【特許請求の範囲】
【請求項１】
廃プラスチックをリサイクルした材にて上面を開放する有底の植栽容器を形成し、該植栽容器内面を防水処理し、該植栽容器内を上下に領域を分離するように該植栽容器底面に植栽容器内周面の大きさと同一の大きさである上面を有し、一定高さの脚を有する植栽設置台を設け、該植栽設置台の上面に、防根シート、不織布、固定用金網をこの順に設置し、固定用金網は、押え板及び押え金ネジにて植栽設置台に固定し、該植栽容器内の上側領域であって、不織布で形成される空間の内側に配合用土層を設け、該植栽容器上部に雨水を確保する雨水取板を設け、該植栽容器の上部から底面に至るまで給水用繊維マットを配置し、植栽設置台によって該植栽容器内下側に設けられた空間を貯水槽とし、植栽容器における貯水層上部の高さ位置に、オーバーフロー孔を設け、配合用土層と貯水層を連絡する給水ロープを設け、固定用金網上にS型アンカーボルトと固定補助具を用いて植栽木を植立固定するとともに、植栽容器外壁に水量確認管と強風等による横転を防止するL型金具を形成し、ナイロンネットを装着した複数のスプリング内蔵支柱管を植栽容器内部に立設し、緑化を図ることを特徴とするみどりのユニット装置。
【請求項２】
植栽設置台は、水に強く加工が容易なヒノキ、発泡スチロール、樹脂系材のいずれかで形成し、また、脚は植栽設置台面より幅が狭く脚底にはＵ型の空洞を設けることを特徴とする請求項１に記載するみどりのユニット装置。
【請求項３】
和紙と綿を縒り合わせた給水ロープにより貯水槽から上部の配合用土層及び植栽植物へ自動給水ができることを特徴とする請求項１又は請求項２に記載のみどりのユニット装置
。
【請求項４】
請求項１〜３のいずれか１項に記載のみどりのユニット装置を用いて庇のあるバルコニー、軒下の上下空間をツタ類植物で緑化することを特徴とする緑化工法において、植栽容器内に連立するスプリング内蔵支柱管は２本である緑化工法。
【発明の詳細な説明】
【技術分野】
【０００１】
本発明は、屋上等のコンクリート打設面、アパートやマンションのバルコニー、ビルのポーチ、家屋の軒、その他舗装された地面等に、樹木、草花、ツタ類の植物で緑化し、植物の温度の上昇を緩和する効果により都市環境の改善をすることができるみどりのユニット装置及び緑化工法に関するものである。
【背景技術】
【０００２】
市街地は、都市化が進むに従って高層建築物が乱立すると共に、道路や地面の多くがアスファルトやコンクリートで舗装されて、土や水など植物の生育に必要な条件が損なわれ、良好な自然環境が失われている。しかも高層建築物から排出される熱エネルギーは、地球温暖化など自然環境を壊す一因となっている現状から自然環境を取り戻すため緑地の確保や都市公園の整備が強く要請されている。
【０００３】
しかし、前記のように都市部においては公園用地や緑地帯の確保が困難であるため、ビルやマンション等の屋上やバルコニー及びコンクリート等で舗装された道路端や地面等を緑地化するための空間として見直されているが、屋上やバルコニーなどはコンクリート打設面になっているので，このコンクリート打設面に庭園を造る場合種々の構造や方法が開発されつつある。
【０００４】
従来のコンクリート打設面に庭園を造る手段としては、コンクリート打設面上に枠状アングル体と鉤状アングル体から構成したベース基礎体部と外壁体により樹木生育装置本体を構成し、内周面部に防水処理を施した上、所定の高さにオーバーフロー孔を形成し、枠状アングル体の内周面部と庇部との間で内部空間部が形成された空間部に保水材を充填し貯水槽とし、上部の用土が流入しないように網状体を敷設した上に土流出防止用ネット体を敷設した樹木生育装置にアンカーピンと係止爪体を係止し得る固定補助具を使用し樹木等を固定し植栽していた。
【特許文献１】特許第３４１６７９９号公報
【発明の開示】
【発明が解決しようとする課題】
【０００５】
上記の特許文献は本発明者が開発した工法であるが、次の課題があった。
１  植栽装置の軽量化。
２  配合用土層と貯水槽の分離化。
３  貯水槽からの給水方法。
４  植物が生育に必要な自然水の確保。
５  貯水量が確認できる方法。
６  バルコニー等の上下空間の緑化方法。
【課題を解決するための手段】
【０００６】
廃プラスチックをリサイクルした材にて上面を開放する有底の植栽容器を形成し、該植栽容器内面を防水処理し、該植栽容器内を上下に領域を分離するように該植栽容器底面に植栽容器内周面の大きさと同一の大きさである上面を有し、一定高さの脚を有する植栽設置台を設け、該植栽設置台の上面に、防根シート、不織布、固定用金網をこの順に設置し、固定用金網は、押え板及び押え金ネジにて植栽設置台に固定し、該植栽容器内の上側領域であって、不織布で形成される空間の内側に配合用土層を設け、該植栽容器上部に雨水を確保する雨水取板を設け、該植栽容器の上部から底面に至るまで給水用繊維マットを配置し、植栽設置台によって該植栽容器内下側に設けられた空間を貯水槽とし、植栽容器における貯水層上部の高さ位置に、オーバーフロー孔を設け、配合用土層と貯水層を連絡する給水ロープを設け、固定用金網上にS型アンカーボルトと固定補助具を用いて植栽木を植立固定するとともに、植栽容器外壁に水量確認管と強風等による横転を防止するL型金具を形成し、ナイロンネットを装着した複数のスプリング内蔵支柱管を植栽容器内部に立設し、緑化を図ることを特徴とするみどりのユニット装置。
【０００７】
植栽設置台は、水に強く加工が容易なヒノキ、発泡スチロール、樹脂系材のいずれかで形成し、また、脚は植栽設置台面より幅が狭く脚底にはＵ型の空洞を設けることを特徴とする請求項１に記載するみどりのユニット装置。
【０００８】
和紙と綿を縒り合わせた給水ロープにより貯水槽から上部の配合用土層及び植栽植物へ自動給水ができることを特徴とする請求項１又は請求項２に記載のみどりのユニット装置
。
【０００９】
請求項１〜３のいずれか１項に記載のみどりのユニット装置を用いて庇のあるバルコニー、軒下の上下空間をツタ類植物で緑化することを特徴とする緑化工法において、植栽容器内に連立するスプリング内蔵支柱管は２本である緑化工法。
【発明の効果】
【００１０】
植栽容器と用土の軽量化や植栽方法による軽量化が図られ、該植栽容器に雨水取板を設けたことにより雨水を効率的に集め貯水し、さらに水量確認管を設置したことにより水管理が容易になった。また、該植栽容器にL型金具を取付け強風等による植栽容器の横転防止を図った植栽容器（みどりのユニット装置）をバルコニー等に設置し、落葉するツタと低木を植栽すれば上下空間が緑化され、夏季においては成長した植物が日差しをさえぎり涼しい風が入り、冬季には葉が落ち日差しが直接あたるといった緑化によるオアシス効果による快適な生活環境に改善できるものである。
【００１１】
また、植栽設置台に固定用金網を設けその上に植栽木を載置し、根巻部分をＳ型アンカーボルトと固定補助具により植栽木を植立固定させビル風やその他強風によって植栽木が倒れることもなく景観を保持することができる。
【発明を実施するための最良の形態】
【００１２】
屋上等のコンクリート打設面、アパートやマンションのバルコニー、舗装された地面等の無土壌面にみどりのユニット装置にて簡単に低コストで庭園や花壇等を造ることができ
、樹木等の水枯れ・倒木・横転もなく安心で見映え良い癒しの空間を造りあげることができる。
【実施例１】
【００１３】
図１はみどりのユニット装置を示す断面図であり、図２は植栽設置台を示す斜視図であり、図３は植栽設置台上面に防根シート・不織布・固定用金網を形成したことを示す斜視図であり、図４はＬ型水量確認管を示す断面図であり、図５は雨水取板を分解した状態を示す斜視図であり、図６はネット状袋体を示す斜視図であり、図７は樹木固定用Ｓ型アンカーボルトと固定補助具を示す断面図であり、図８はＳ型アンカーボルトと固定補助具にて植栽設置台に植栽木を植立固定した状態を示す断面図であり、図９はＬ型金具を形成したみどりのユニット装置の一実施例の完成斜視図である。
【００１４】
図１に示すように１はバルコニー、２は庇のコンクリート打設面であり、このコンクリート打設面１と２に本発明に係るみどりのユニット装置本体３を用いて緑化工法を施工する場所を示す。４は庭園範囲を定めるように設計された植栽容器であり、この植栽容器４はスプリング内蔵支柱管６とナイロンネット８と植栽設置台１２と雨水取板１３とＬ型水量確認管１７と給水ロープ１９及びアンカーボルト２３から構成されている。
【００１５】
図において、みどりのユニット装置本体３は、リサイクル材（廃プラ）の板材・角材で縦１ｍ横２ｍの長方形の大きさに形成されているが、この大きさに限定されるものではなく、円形や他の形状であってもよく、また、スプリング内蔵支柱管６とナイロンネット８を外し単独で用いてもあるいは複数の組み合わせで用いてもよい。
【００１６】
植栽容器４の内部に後述するスプリング内蔵支柱管６が挿入できる太さの挿入管５を左右奥の内壁面に各一ヶ所Ｕ型金具５ａにて固定し、底面部に所定の空間部（貯水槽）１１を形成するため植栽設置台１２を内周面の大きさに合わせ水に強く加工が容易なヒノキ・発泡スチロール・樹脂系等で形成し、底面から植栽設置台１２の高さまでの内周面部に防水シート１０を敷設形成し、左右内壁全面に１ｃｍ厚の給水用繊維マット１５を接着剤にて固定し、植栽設置台を設置する。
【００１７】
植栽設置台面１２ａの幅は、植栽容器４の内部左右に給水用の厚さ１ｃｍの繊維マット１５が設置できる幅とし、植栽設置台脚１２ｂの部分は図２で示すように植栽設置台面１２ａより幅が狭く下部には空洞１２ｃを設け水が自由に流れ貯水可能に構成されている。
また、図３で示すように植栽設置台上面１２ａには植物根が植栽容器４外及び空間部（貯水槽）１１への侵入防止策として防根シート２０、配合用土２５の落下防止策として不織布を植栽設置台１２にて上下に分離した上部内周面部に敷設後、固定用金網２１を押え板２２にて押え金ネジにて植栽設置台１２に固定する。  
【００１８】
また、空間部（貯水槽）１１の高さは底面部から３ｃｍ〜５ｃｍ程度でよく、この高さで防水シート１０が敷設されている。なお、所定の貯水状態を維持するように外壁面４ａにオーバーフロー孔１６が形成されている。
【００１９】
１３は効率的に植栽容器４外の雨水を確保する雨水取板で、構成は図４で示すようにＬ型状丸棒１３ａと丸棒１３ｂは骨組みとし、植栽容器４内の繊維マット１５にＬ型状丸棒１３ａを挿入固定し、四辺に筒形を形成し、規格に合ったビニールシート１３ｃをＬ型状丸棒１３ａにウイング状に挿入し、ビニールシート１３ｃの上下筒形に丸棒１３ｂをＬ型状丸棒１３ａとクロスするように挿入し、Ｌ型状丸棒１３ａと丸棒１３ｂをボルトにて固定し、破損・飛散しないように図５で示すネット状袋体１４で覆い固定ロープ１４ａにて植栽容器４の外壁フックに固定し、飛散することなく効率的に雨水を確保できる。なお、雨水取板１３の材質としては他に木質系・鉄板系・プラスチック系・樹脂系がある。
【００２０】
１５は植栽容器４の内壁面左右全面に設置した１ｃｍ厚の繊維マットで、上部から下部底面部まで切断することなく設置され、上部の配合用土２５に酸素を供給し、また雨水取板１３にて集水された雨水の通水路として、下部の空間部（貯水槽）１１へ雨水や補給水を通し貯水させるものである。
【００２１】
１７は貯水量が把握できるＬ型水量確認管で、図６で示すように底面部と平行に外壁面４ａと防水シート１０を貫通する穴を設け、透明Ｌ型管１７ａを挿入し、管の下口には、うき玉１８が空間部（貯水槽）１１に流出しないようにネット１７ｂを取付けシーリング材にて防水処理をし、透明Ｌ型管１７ａの中には水位が確認できるうき玉１８を投入し、透明Ｌ型管１７ａの頭部に蓋１７ｃを冠したＬ型水量確認管１７である。
【００２２】
１９の給水ロープは、和紙と綿を縒り合わせロープ状にしたもので、空間部（貯水槽）１１に貯えた水を上部の樹木Ｇ及び配合用土２５に、毛細管原理を利用し自動給水するものであり、貯水槽１１より繊維マット１５の面をはわせ、上部の防根シート２０、不織布２０ａに給水ロープ１９が通る穴を貫通させ、配合用土２５や樹木根Ｇａ付近に配置する。
【００２３】
前記の配合用土２５は、経験から得た技術的知見に基づき、植栽容器４に対して下部層約３ｃｍの部分を保水力、排水力が優れている乾燥水苔５０％・ココピート２０％・ピートモス２０％・草灰１０％を配合し、それより上層部はバーク堆肥４０％・赤玉土２０％・鹿沼土２０％・草灰１０％を配合した基盤材を詰込むものとする。
【００２４】
２０の防根シートは、樹木根Ｇａが植栽容器４外及び下部の空間部（貯水槽）１１に侵入しないように植栽容器４内壁面部、植栽設置台面１２ａ、上部の繊維マット１５表面部を保護するように敷設する。また、防根シート２０の上に配合用土２５が下部空間部（貯水槽）１１に落下しないように不織布２０ａを敷設し保護する。防根シート２０と不織布２０ａは水を通すので配合用土２５に余分な雨水等の水分は不織布２０ａ、防根シート２０を通過し、繊維マット１５の中を通り空間部（貯水槽）１１に貯水される。
【００２５】
図１において、６のスプリング内蔵支柱管に、植栽容器４に固定されている左右の挿入管５の間隔と同じ長さの支え棒７を左右のスプリング内蔵支柱管６の頭部近くに金ネジで固定し、庇２の高さに合わせ、支え棒７から植栽容器４の間と左右のスプリング内蔵支柱管６の間に縁ロープ８ａを通したナイロンネット８をたらし、閉じバンド９でスプリング内蔵支柱管６と支え棒７にナイロンネット８を固定する。ナイロンネット８を装着したスプリング内蔵支柱管６を挿入管５に挿入し、スプリング内蔵支柱管６が植栽容器４と庇２を支え合うように高さ調整口６ａを調整し、スプリング内蔵支柱管６の中に内蔵されているスプリングの反発力で固定し、頭部のゴムキャップ６ｂで接着面の保護と接着摩擦力でさらにしっかりと固定される。
【００２６】
図７は、植栽木Ｇを固定するＳ型アンカーボルト２３と根巻部Ｇａを締め付け固定する固定補助具２４である。まず図８で示すように植栽設置台面１２ａの上面に防根シート２０・不織布２０ａ・固定用金網２１が形成された植栽設置台１２に根巻済の植栽木Ｇを載置し、根巻部Ｇａの高さに合ったＳ型アンカーボルト２３の一方を固定用金網２１に数本掛け根巻部Ｇａに直立に密着するように形成し、各Ｓ型アンカーボルト２３頭部に固定補助具２５を掛け根巻部Ｇａを締め付け植栽木Ｇを植立固定し、配合用土２５を規定量覆土し、安定した状態で植立保持することができるものである。しかも当該植栽木Ｇの根部分はＳ型アンカーボルト２３と固定補助具２４にて保持固定されているので強風や振動があっても倒木することがない。
【００２７】
図９に記載のＬ型金具２４は、強風等により奥行の狭いみどりのユニット装置本体３が横転するおそれがある場合みどりのユニット装置本体３の外壁面左右に金ネジにてＬ型金具２４を固定し横転を防止するものである。また、図９はみどりのユニット装置によるバルコニー緑化完成一事例であり、植栽容器手前に低木類を植栽し、後方にあるナイロンネットには落葉性のツタ類を植栽し、バルコニーの上下方向空間を緑化することにより、夏季は日差しを遮り、冬季は日差しを受け暖かくというように植栽する植物の特性を活かして生活環境を改善することができる。
【産業上の利用可能性】
【００２８】
屋上等のコンクリート打設面及びアパートやマンションのバルコニー、ビルのポーチ、家屋の軒等の上下方向空間に簡単に低コストで緑化工事ができ、植物の温度上昇を緩和する効果により都市環境の改善をすることができる。即ち、コンクリート構築物の多い都市部を簡易な装置で安価にまた容易に緑化が可能で、植物のオアシス効果により温度上昇現象（ヒートアイランド現象）を緩和することができる装置であり、雨水取板、貯水槽、給水ロープ、水量確認管を設けたことにより維持管理も容易になり、乾燥時であっても植栽植物を枯らすことなく庭園として景観が良好に保たれ、今後利用される可能性が高いものになった。
【図面の簡単な説明】
【００２９】
【図１】みどりのユニット装置を示す断面図である。
【図２】植栽設置台を示す斜視図である。
【図３】植栽設置台表面に防水シート・不織布・固定用金網を形成したことを示す斜視図である。
【図４】Ｌ型水量確認管を示す断面図である。
【図５】雨水取板を分解した状態を示す斜視図である。
【図６】ネット状袋体を示す斜視図である。
【図７】樹木固定用Ｓ型アンカーボルトと固定補助具示す斜視図である。
【図８】Ｓ型アンカーボルトと固定補助具にて植栽設置台に植栽木を植立固定した状態を示す断面図である。
【図９】Ｌ型金具を形成し、みどりのユニット装置での緑化工法の一実例の完成斜視図である。
【符号の説明】
【００３０】
１    コンクリート打設面
２    庇
３    みどりのユニット装置本体
４    植栽容器
５    挿入管
５ａ  Ｕ型金具
６    スプリング内蔵支柱管
６ａ  調整口
６ｂ  ゴムキャップ
７    支え棒
８    ナイロンネット
８ａ  縁ロープ
９    閉じバンド
１０    防水シート
１１    空間部（貯水槽）
１２    植栽設置台
１３    雨水取板
１３ａ  Ｌ型状丸棒
１３ｂ  丸棒
１３ｃ  ビニールシート
１４    ネット状袋体
１４ａ  固定ロープ
１５    繊維マット
１６    オーバーフロー孔
１７    Ｌ型水量確認管
１７ａ  透明Ｌ型管
１７ｂ  ネット
１７ｃ  蓋
１８    うき玉
１９    給水ロープ
２０    防根シート
２０ａ  不織布
２１    固定用金網
２２    押え板
２３    Ｓ型アンカーボルト
２４    固定補助具
２５    配合用土
２６    Ｌ型金具
Ｇ    樹木
Ｇａ  根巻部
【図１】
0004256354.tif 000002
【図２】
0004256354.tif 000003
【図３】
0004256354.tif 000004
【図４】
0004256354.tif 000005
【図５】
0004256354.tif 000006
【図６】
0004256354.tif 000007
【図７】
0004256354.tif 000008
【図８】
0004256354.tif 000009
【図９】
0004256354.tif 000010